【事件の表示】
　特願２０１４−３１００８号「金銭処理装置および金銭処理装置の在高管理方法」拒絶査定不服審判事件〔平成２７年８月２７日出願公開、特開２０１５−１５６１４１号〕について、次のとおり審決する。
【結　論】
　本件審判の請求は、成り立たない。
【理　由】
第１　手続の経緯
　本願は、平成２６年２月２０日の出願であって、その手続の経緯は以下のとおりである。
　平成２９年１０月　６日付け：拒絶理由通知書
　平成２９年１２月１２日　　：意見書、手続補正書の提出
　平成３０年　３月１２日付け：拒絶査定（以下「原査定」という。）
　平成３０年　６月１８日　　：審判請求書、手続補正書の提出
第２　平成３０年６月１８日にされた手続補正についての補正の却下の決定
［補正の却下の決定の結論］
　平成３０年６月１８日にされた手続補正（以下「本件補正」という。）を却下する。
［理由］
１　補正の内容
（１）本件補正後の特許請求の範囲の記載
　本件補正により補正された特許請求の範囲の請求項１〜６のうちの請求項１〜２，６の記載は、次のとおりである（下線は、補正箇所を示す。）。
「【請求項１】
　入金された貨幣を取り込んで収納庫に振分収納し、上位装置からの指示によって前記収納庫から収納貨幣を放出して入出金情報として保持するとともに、前記収納庫間で貨幣の入出が可能な精査庫を用いて収納貨幣を再計数する精査を行うことができる金銭処理装置であって、
　前記収納貨幣の過不足発生に関する所定の人為的接触操作が
所定時間以上、継続して
場合に前記所定の人為的接触操作が発生したものと
　前記所定の人為的接触操作が発生した場合、該所定の人為的接触操作が発生した
ものと判断された
　を備えたことを特徴とする金銭処理装置。
　【請求項２】
　前記所定の人為的接触操作は、前記収納庫が設けられ装置本体から引き出し可能な収納ユニットの引き出し開閉操作、前記収納庫を開閉する収納庫扉の開閉操作、前記収納ユニットあるいは前記収納庫扉に対する鍵開閉操作、および装置に対する電源オフ操作のうちの少なくとも１以上の組み合わせであることを特徴とする請求項１に記載の金銭処理装置。
　【請求項６】
　入金された貨幣を取り込んで収納庫に振分収納し、上位装置からの指示によって前記収納庫から収納貨幣を放出して入出金情報として保持するとともに、前記収納庫間で貨幣の入出が可能な精査庫を用いて収納貨幣を再計数する精査を行うことができる金銭処理装置の在高管理方法であって、
　前記金銭処理装置のコンピュータが、
　前記収納貨幣の過不足発生に関する所定の人為的接触操作が
所定時間以上、継続して
場合に前記所定の人為的接触操作が発生したものと
　前記所定の人為的接触操作が発生した場合、該所定の人為的接触操作が発生した
ものと判断された
　を含むステップを実行することを特徴とする金銭処理装置の在高管理方法。」
（２）本件補正前の特許請求の範囲の記載
　本件補正前の、平成２９年１２月１２日にされた手続補正により補正された特許請求の範囲の請求項１〜６のうちの請求項１〜２，６の記載は次のとおりである。
「【請求項１】
　入金された貨幣を取り込んで収納庫に振分収納し、上位装置からの指示によって前記収納庫から収納貨幣を放出して入出金情報として保持するとともに、前記収納庫間で貨幣の入出が可能な精査庫を用いて収納貨幣を再計数する精査を行うことができる金銭処理装置であって、
　前記収納貨幣の過不足発生に関する所定の人為的接触操作が発生したか否かを判断する人為的接触操作判断部と、
　前記所定の人為的接触操作が発生した場合、該所定の人為的接触操作が発生した時点で前記所定の人為的接触操作が発生した箇所の収納貨幣を自動精査し、精査時刻および精査結果を精査情報として記憶部に保持させる精査制御部と、
　を備えたことを特徴とする金銭処理装置。
　【請求項２】
　前記所定の人為的接触操作は、前記収納庫が設けられ装置本体から引き出し可能な収納ユニットの引き出し開閉操作、前記収納庫を開閉する収納庫扉の開閉操作、前記収納ユニットあるいは前記収納庫扉に対する鍵開閉操作、および装置に対する電源オフ操作のうちの少なくとも１以上の組み合わせであることを特徴とする請求項１に記載の金銭処理装置。
　【請求項６】
　入金された貨幣を取り込んで収納庫に振分収納し、上位装置からの指示によって前記収納庫から収納貨幣を放出して入出金情報として保持するとともに、前記収納庫間で貨幣の入出が可能な精査庫を用いて収納貨幣を再計数する精査を行うことができる金銭処理装置の在高管理方法であって、
　前記金銭処理装置のコンピュータが、
　前記収納貨幣の過不足発生に関する所定の人為的接触操作が発生したか否かを判断する人為的接触操作判断ステップと、
　前記所定の人為的接触操作が発生した場合、該所定の人為的接触操作が発生した時点で前記所定の人為的接触操作が発生した箇所の収納貨幣を自動精査し、精査時刻および精査結果を精査情報として記憶部に保持させる精査制御ステップと、
　を含むステップを実行することを特徴とする金銭処理装置の在高管理方法。」
２　補正の適否
（１）上記「１（１），（２）」から明らかなように、本件補正により、本件補正後の請求項１に係る発明（以下「本願補正発明１」という。）における「人為的接触操作判断部」及び請求項６に係る発明（以下「本願補正発明６」という。）における「人為的接触操作判断ステップ」は、「前記収納貨幣の過不足発生に関する所定の人為的接触操作が
所定時間以上、継続して
場合に前記所定の人為的接触操作が発生したものと
所定時間以上、継続して
場合に前記所定の人為的接触操作が発生したものと
（２）当初明細書等に記載された事項
　本願の願書に最初に添付された明細書（以下「当初明細書」といい、特許請求の範囲又は図面を含めて「当初明細書等」という。）の段落【００２８】に「なお、引き出しセンサ２ｂは、装置本体１に対して硬貨収納ユニット１０もしくは紙幣収納ユニット２０が継続して３秒以上引き出された場合に、引き出し開閉操作があったものと判断するようにしている。」という記載があり、審判請求書（第２頁第７〜１４行）において該記載が本件補正の根拠である旨述べられている。そして他に本件補正に関する記載はない。
（３）判断
　上記四つの操作のうちの「収納ユニットの引き出し開閉操作」については「
所定時間以上、継続して
場合に前記所定の人為的接触操作が発生したものと
所定時間以上、継続して
場合に前記所定の人為的接触操作が発生したものと
　以上のとおり、本件補正は、特許法第１７条の２第３項の規定に違反するものであり、同法第１５９条第１項で読み替えて準用する同法第５３条第１項の規定により却下されるべきものである。
　よって、上記補正の却下の決定の結論のとおり決定する。
第３　本願発明
　平成３０年６月１８日になされた手続補正は、上記「第２」のとおり却下されたので、本願の請求項に係る発明は、平成２９年１２月１２日にされた手続補正により補正された特許請求の範囲の請求項１〜６に記載された事項により特定されるものであるところ、その請求項１に係る発明（以下「本願発明１」という。）は、その請求項１に記載された事項により特定される、前記「第２［理由］１（２）」に記載のとおりのものである。
第４　原査定の拒絶の理由
　原査定の拒絶の理由は、本願の請求項１〜３，６に係る発明は、本願の出願前に頒布された又は電気通信回線を通じて公衆に利用可能となった以下の引用文献１に記載された発明及び引用文献２に示される周知技術に基いて、請求項４〜５に係る発明は、引用文献１に記載された発明、引用文献３に記載された発明及び引用文献２に示される周知技術に基いて、その出願前にその発明の属する技術の分野における通常の知識を有する者が容易に発明をすることができたものであるから、特許法第２９条第２項の規定により特許を受けることができない、というものである。
引用文献１：特開２０１３−２４６７８７号公報
引用文献２：特開２００９−１３９９８０号公報（周知技術を示す文献）
引用文献３：特開２００２−７４４６３号公報
第５　引用文献１の記載事項等
１　引用文献１の記載事項
　引用文献１には、以下の事項が記載されている（下線は当審で付した。以下同様。）。
（１ａ）「【技術分野】
【０００１】
　本発明は、紙幣や硬貨等の貨幣の処理を行う貨幣処理機、この貨幣処理機を備えた貨幣処理システムおよびこの貨幣処理機による貨幣処理方法に関する。
【背景技術】
【０００２】
　従来から、紙幣や硬貨等の貨幣の処理を行う貨幣処理機として様々な種類のものが知られている。具体的には、紙幣釣銭機および硬貨釣銭機が組み合わせられた貨幣釣銭機が店舗等に設置されており、顧客から受け取った紙幣や硬貨を店員が貨幣釣銭機に入金するとともに、釣銭としての紙幣や硬貨が貨幣釣銭機から出金されるようになっている。そして、入金情報や出金情報に基づいて、貨幣釣銭機内に収納されている貨幣量（機内在高）が管理されている。
【０００３】
　このような貨幣釣銭機において収納部からの貨幣の繰出不良や搬送路における貨幣のジャム等の異常が発生したり、貨幣釣銭機の収納庫を開いたりした場合には、貨幣釣銭機の機内在高が不明確になってしまう。このため、このような場合には、貨幣釣銭機の収納部に収納された貨幣を当該収納部から繰り出したりして、機内在高を確認する精査処理を行う必要があった。従来では、貨幣釣銭機の機内在高が不明確となった場合に、全ての金種の貨幣を収納部から繰り出して在高を確認するのが一般的であった。しかしながら、全ての金種の貨幣を収納部から繰り出して在高を確認する場合には、例えば１つの金種の貨幣についてのみ在高異常があるときでも、全ての金種の貨幣を貨幣釣銭機の機外に投出して再び機内に戻す必要があったため、作業者にとって負担が大きく、また時間がかかるという問題があった。また、在高が異常ではない金種の貨幣まで貨幣釣銭機の機外に投出するため、貨幣のこぼれや詰まり、あるいは操作者が不正行為を行うといったトラブルが生じてしまい、元々在高が異常ではない金種について新たな在高異常を引き起こしてしまうおそれがある。
【０００４】
　このような問題に対応するため、特許文献１には、貨幣釣銭機において機内に収納されている全ての金種の貨幣を回収する「全回収モード」、および機内に収納されている貨幣のうち一つの指定金種の貨幣のみを回収する「金種別回収モード」のうち一方の回収モードを選択して実行することができるような技術が開示されている。しかしながら、このような貨幣釣銭機では、金種別回収モードによって貨幣の回収処理を行う場合に、在高異常に関する金種を操作者が正確に指定することができるか否かは、操作者の個々の能力に左右されてしまうという問題がある。例えば、本来は１０円および１００円の硬貨の精査処理を行わなければならないのに、操作者が１００円の硬貨の回収のみしか指定しなかった場合には、貨幣釣銭機の機内在高を正確に確認することができないおそれがある。さらに、複数の金種について精査処理を行いたい場合に、特許文献１に開示される貨幣釣銭機では１金種ずつ貨幣の精査処理を別々に行い、一つの金種の貨幣の精査処理が終わると次の金種の貨幣の精査処理の開始を改めて指示する必要があったため、操作者にとって操作が面倒であるという問題がある。
【先行技術文献】
【特許文献】
【０００５】
【特許文献１】特開２０１０−１４０１４２号公報
【発明の概要】
【発明が解決しようとする課題】
【０００６】
　本発明は、このような点を考慮してなされたものであり、貨幣処理機における在高不明確状態の内容や発生原因に基づいて適切な精査方法を選択して出力することにより、操作者の熟練度に依存することなく適切な精査方法を実行することができる貨幣処理機、貨幣処理システムおよび貨幣処理方法を提供することを目的とする。
【課題を解決するための手段】
【０００７】
　本発明の貨幣処理機は、貨幣の処理を行う貨幣処理機であって、在高不明確状態の発生を検出する検出手段と、複数の精査方法を記憶する記憶部と、前記検出手段によって在高不明確状態の発生が検出されたときに、この在高不明確状態の内容あるいは発生原因に基づいて、前記記憶部に記憶された複数の精査方法のうち特定の精査方法を選択して出力する出力手段と、を備えている。
【０００８】
　このような貨幣処理機によれば、検出手段によって在高不明確状態の発生が検出されたときに、出力手段は、この在高不明確状態の内容あるいは発生原因に基づいて、記憶部に記憶された複数の精査方法のうち特定の精査方法を選択して出力するようになっている。このように、貨幣処理機における在高不明確状態の内容や発生原因に基づいて適切な精査方法を選択して出力することにより、操作者の熟練度に依存することなく適切な精査方法を実行することができる。
【０００９】
　本発明の貨幣処理機においては、前記記憶部は、当該記憶部に記憶された各精査方法と前記在高不明確状態の内容あるいは発生原因との関係も記憶するようになっており、前記出力手段において、前記記憶部に記憶された関係を用いて、前記検出手段によって検出された在高不明確状態の内容あるいは発生原因に対応する精査方法が選択されるようになっていてもよい。
【００１０】
　本発明の貨幣処理機においては、前記貨幣処理機は表示部を更に備えており、前記出力手段により出力された情報は前記表示部に表示されるようになっていてもよい。
【００１１】
　また、前記貨幣処理機は通信部を更に備えており、前記出力手段により出力された情報は前記通信部により前記貨幣処理機とは別に設けられた外部装置に送信されるようになっていてもよい。
【００１２】
　本発明の貨幣処理機においては、前記在高不明確状態の内容あるいは発生原因は、前記貨幣処理機の収納庫が開いたこと、前記貨幣処理機の装置トラブルにより在高が不明確となったこと、および前記貨幣処理機の貨幣収納部に対する貨幣の出し入れに関するトラブルにより実際の在高が計算上の在高と異なるようになったこと、のうち全てまたは一部であってもよい。
【００１３】
　また、前記記憶部に記憶された複数の精査方法は、前記貨幣処理機から全ての金種の貨幣を回収する全回収、前記貨幣処理機から一部の金種の貨幣を回収する金種個別回収、前記貨幣処理機の機内から回収された貨幣および前記貨幣処理機の収納庫を開いて手動で取り出された貨幣を当該貨幣処理機に戻す戻し入れ動作、出金処理におけるリジェクト貨幣を回収するリジェクト回収、および前記貨幣処理機の貨幣収納部から一時保留部に貨幣を搬送してこの一時保留部に貨幣を保留しその後前記一時保留部に保留された貨幣を前記貨幣収納部に戻す機内循環処理、のうち全てまたは一部であってもよい。
・・・
【発明の効果】
【００２５】
　本発明の貨幣処理機、貨幣処理システムおよび貨幣処理方法によれば、貨幣処理機における在高不明確状態の内容や発生原因に基づいて最適な精査方法を選択して出力することにより、操作者の熟練度に依存することなく最適な精査方法を実行することができる。
・・・
【００２８】
　まず、本実施の形態の貨幣処理システム１の全体構成について図１および図２を用いて説明する。図１および図２に示すように、貨幣処理システム１は、硬貨釣銭機１００と、紙幣釣銭機２００と、ＰＯＳレジスタ３００とを備えている。
硬貨釣銭機１００および紙幣釣銭機２００は、それぞれ硬貨や紙幣の入出金処理を行うようになっている。
硬貨釣銭機１００および紙幣釣銭機２００をまとめて貨幣釣銭機
【００２９】
　また、図１に示すように、ＰＯＳレジスタ３００は店舗サーバ４００に通信接続されている。そして、ＰＯＳレジスタ３００から店舗サーバ４００に売上金情報等が送信されるようになっている。また、各種設定情報が、店舗サーバ４００からＰＯＳレジスタ３００（複数台でも可）に配信されるようになっている。
【００３０】
　図１に示すように、
硬貨釣銭機１００は、硬貨制御部１３０および表示制御部１４０を有している。また、紙幣釣銭機２００は、紙幣制御部２３０を有している。
【００３１】
　以下、硬貨釣銭機１００、紙幣釣銭機２００およびＰＯＳレジスタ３００の構成について図１および図２を用いて詳述する。
【００３２】
　まず、硬貨釣銭機１００の構成について具体的に説明する。図１および図２に示すように、硬貨釣銭機１００は、前部上面に操作表示部１１２が設けられた筐体１１０を備えている。ここで、本実施の形態の硬貨釣銭機１００では、操作表示部１１２としてカラーＬＣＤが用いられるようになっている。また、操作表示部１１２のそばには、例えば６つのボタンからなる操作部１１３が設けられている。ここで、操作表示部１１２における各ボタンの近傍には様々な指令キーが表示されるようになっており、各指令キーに対応するボタンを押下することにより、表示制御部１４０を介して硬貨制御部１３０や紙幣制御部２３０に様々な指令が与えられるようになっている。また、筐体１１０の前部には硬貨受入部１１４および硬貨払出部１１６が設けられている。
【００３３】
　硬貨受入部１１４は、投入された硬貨を検知すると駆動され、受け入れた硬貨を１層１列状態で１枚ずつ機体内に取り込むようになっている。図１に示すように、この硬貨受入部１１４には、当該硬貨受入部１１４により機体内に取り込まれた硬貨を搬送する入金搬送部１０３が接続されている。
【００３４】
　図１に示すように、入金搬送部１０３の途中には、硬貨の識別を行う硬貨識別部１０１と、分岐部１０４とがそれぞれ設けられている。分岐部１０４は、硬貨識別部１０１による硬貨の識別結果に基づいて、リジェクト硬貨等の、硬貨払出部１１６から払い出されるべき硬貨を出金搬送部１０８へ案内（搬送）するようになっている。
【００３５】
　一方、正常硬貨等の機体内に収納されるべき硬貨は入金搬送部１０３により硬貨収納部１０６へ搬送されるようになっている。硬貨収納部１０６は硬貨を金種別に収納するようになっている。具体的には、例えば入金搬送部１０３の上流側から高額順に硬貨が収納される。
【００３６】
　出金搬送部１０８は、硬貨収納部１０６から繰り出された硬貨を硬貨払出部１１６へ搬送するようになっている。また、出金搬送部１０８は、分岐部１０４から案内されたリジェクト硬貨等を硬貨払出部１１６へ搬送するようになっている。
【００３７】
　なお、
硬貨釣銭機１００において、各硬貨収納部１０６、入金搬送部１０３、出金搬送部１０８、硬貨受入部１１４、硬貨払出部１１６等は一体型の硬貨収納庫となっており、この硬貨収納庫を筐体１１０から手前側に引き出すこと
【００３８】
　次に、紙幣釣銭機２００の構成について具体的に説明する。図１および図２に示すように、紙幣釣銭機２００は、筐体２１０と、この筐体２１０内の略中央部に設けられた環状の周回搬送部２０３ａとを備えている。また、紙幣受入部２１４、３つの紙幣収納部２０６、紙幣払出部２１６、出金リジェクト部２０４、および紙幣回収カセット２０７が、周回搬送部２０３ａを外周から取り囲むように配置されている。
【００３９】
　また、紙幣釣銭機２００の筐体２１０の内部には、紙幣受入部２１４、各紙幣収納部２０６、紙幣払出部２１６、出金リジェクト部２０４、および紙幣回収カセット２０７と、周回搬送部２０３ａとの間をそれぞれ接続する複数の接続搬送部２０３ｂが形成されている。また、周回搬送部２０３ａには紙幣識別部２０１が設けられており、この紙幣識別部２０１は、当該紙幣識別部２０１を通過する紙幣の識別を行うようになっている。
【００４０】
　また、周回搬送部２０３ａと各接続搬送部２０３ｂとの間で紙幣の搬送経路を切り換える経路切換部（図示せず）が、周回搬送部２０３ａに沿って配置されている。
【００４１】
　図１および図２に示すように、筐体２１０の前面には、紙幣受入部２１４の紙幣受入口２１４ａと、紙幣払出部２１６の紙幣取出口２１６ａとがそれぞれ設けられている。また、紙幣回収カセット２０７は筐体２１０に対して着脱可能に取り付けられている。
【００４２】
　紙幣受入部２１４は、投入された紙幣を検知すると駆動され、紙幣受入口２１４ａに挿入された入金紙幣を一括で取り込んで、周回搬送部２０３ａ側へ１枚ずつ繰り出すようになっている。各紙幣収納部２０６は、紙幣識別部２０１の識別結果に基づいて紙幣を金種別に収納する。紙幣払出部２１６は、各紙幣収納部２０６から周回搬送部２０３ａに繰り出された紙幣を紙幣取出口２１６ａより機外へ放出するようになっている。
【００４３】
　出金リジェクト部２０４は、紙幣収納部２０６から繰り出された紙幣のうち、斜行等の搬送異常により紙幣識別部２０１で識別することができない紙幣を出金リジェクト紙幣として収納する。また、紙幣受入部２１４から機体内に取り込まれた紙幣のうち、汚損等により紙幣識別部２０１で識別することができない紙幣は入金リジェクト紙幣として紙幣払出部２１６に返却されるようになっている。
【００４４】
　なお、
紙幣釣銭機２００において、各紙幣収納部２０６、紙幣受入部２１４、紙幣払出部２１６、出金リジェクト部２０４、紙幣回収カセット２０７、周回搬送部２０３ａおよび接続搬送部２０３ｂ等は一体型の紙幣収納庫となっており、この紙幣収納庫を筐体２１０から手前側に引き出すこと
【００４５】
　次に、ＰＯＳレジスタ３００の構成について具体的に説明する。ＰＯＳレジスタ３００は、商品の購入情報を登録するとともに、硬貨釣銭機１００や紙幣釣銭機２００に対して硬貨や紙幣の入出金処理を行わせるようになっている。
【００４６】
　ＰＯＳレジスタ３００のＰＯＳ制御部３３０は、図１に示すように、硬貨釣銭機１００の表示制御部１４０に通信接続されているとともに、店舗サーバ４００にも通信接続されている。そして、このＰＯＳ制御部３３０は、表示制御部１４０を介して硬貨制御部１３０や紙幣制御部２３０に指令を送ることにより硬貨釣銭機１００や紙幣釣銭機２００に対して硬貨や紙幣の入出金処理を行わせるようになっている。また、ＰＯＳ制御部３３０は、硬貨制御部１３０や紙幣制御部２３０から、表示制御部１４０を介して、硬貨釣銭機１００や紙幣釣銭機２００における硬貨や紙幣の処理状況に係る情報を受け取るようになっている。
・・・
【００４８】
　図３に、上述のような構成からなる貨幣処理システム１の制御ブロック図を示す。図３に示すように、硬貨釣銭機１００の表示制御部１４０には、操作表示部１１２、操作部１１３、記憶部１４４、インターフェース１４２等が接続されている。そして、操作者によって操作部１１３により入力された指令が当該操作部１１３から表示制御部１４０に送られるとともに、表示制御部１４０は操作表示部１１２に指令を送ることにより当該操作表示部１１２に様々な情報を表示させるようになっている。より詳細には、操作表示部１１２には、硬貨釣銭機１００や紙幣釣銭機２００における硬貨や紙幣の処理状況や、硬貨釣銭機１００や紙幣釣銭機２００の内部に収納された硬貨や紙幣の在高を表示するようになっている。また、表示制御部１４０は、インターフェース１４２により、硬貨釣銭機１００の硬貨制御部１３０、紙幣釣銭機２００の紙幣制御部２３０、およびＰＯＳレジスタ３００のＰＯＳ制御部３３０に対してそれぞれ信号の送受信を行うようになっている。また、
記憶部１４４には、硬貨釣銭機１００や紙幣釣銭機２００における硬貨や紙幣の処理状況や、硬貨釣銭機１００や紙幣釣銭機２００の内部に収納された硬貨や紙幣の在高が記憶されるようになっている。
【００４９】
　硬貨釣銭機１００の硬貨制御部１３０には、インターフェース１３２、硬貨受入部１１４、入金搬送部１０３、硬貨識別部１０１、分岐部１０４、硬貨収納部１０６、出金搬送部１０８、硬貨払出部１１６、記憶部１３４等がそれぞれ接続されており、硬貨識別部１０１から硬貨制御部１３０に硬貨の識別結果が送られるとともに、
硬貨制御部１３０から硬貨受入部１１４、入金搬送部１０３、分岐部１０４、硬貨収納部１０６、出金搬送部１０８、硬貨払出部１１６等の各々に対して様々な指令が送られるようになっている。
記憶部１３４には、硬貨釣銭機１００における硬貨の処理状況や、硬貨釣銭機１００の内部に収納された硬貨の在高等の様々な情報が記憶されるようになっている。
【００５０】
　また、紙幣釣銭機２００の紙幣制御部２３０には、インターフェース２３２、紙幣受入部２１４、周回搬送部２０３ａ、接続搬送部２０３ｂ、紙幣識別部２０１、紙幣収納部２０６、出金リジェクト部２０４、紙幣払出部２１６、記憶部２３４等がそれぞれ接続されており、紙幣識別部２０１から紙幣制御部２３０に紙幣の識別結果が送られるとともに、
紙幣制御部２３０から紙幣受入部２１４、周回搬送部２０３ａ、接続搬送部２０３ｂ、紙幣収納部２０６、出金リジェクト部２０４、紙幣払出部２１６等の各々に対して様々な指令が送られるようになっている。
記憶部２３４には、紙幣釣銭機２００における紙幣の処理状況や、紙幣釣銭機２００の内部に収納された紙幣の在高等の様々な情報が記憶されるようになっている。
・・・
【００５２】
　次に、このような構成からなる貨幣処理システム１の動作について説明する。なお、以下に示す貨幣処理システム１の動作は、硬貨釣銭機１００の表示制御部１４０や硬貨制御部１３０、紙幣釣銭機２００の紙幣制御部２３０、あるいはＰＯＳレジスタ３００のＰＯＳ制御部３３０が、硬貨釣銭機１００や紙幣釣銭機２００の各構成要素をそれぞれ制御することにより行われる。
【００５３】
　まず、
硬貨釣銭機１００に硬貨を入金する場合
硬貨を
機体内に取り込み、
硬貨収納部１０６に金種別に収納される。
【００５４】
　また、
硬貨釣銭機１００から
硬貨を出金する場合
ＰＯＳレジスタ３００
から出金指令
により
硬貨収納部１０６に収納されている硬貨が
繰り出され
硬貨払出部１１６へ搬送される。
【００５５】
　次に、
紙幣釣銭機２００に紙幣を入金する場合
入金紙幣を一括で取り込んで
各紙幣収納部２０６に金種別に収納される。
【００５６】
　また、
紙幣釣銭機２００から
紙幣を出金する場合
ＰＯＳレジスタ３００
から出金指令
により
紙幣収納部２０６に収納されている紙幣が
繰り出され
紙幣払出部２１６に送られる。
筐体２１０外へ放出する。
【００５７】
　上述のような硬貨釣銭機１００や紙幣釣銭機２００では、硬貨収納部１０６や紙幣収納部２０６からの硬貨や紙幣の繰出不良が発生したときや、入金搬送部１０３、出金搬送部１０８、周回搬送部２０３ａ、接続搬送部２０３ｂ等で紙幣や硬貨のジャム等の異常が発生したとき、あるいは
硬貨釣銭機１００の筐体１１０から硬貨収納庫を引き出したり紙幣釣銭機２００の筐体２１０から紙幣収納庫を引き出したりすることによりこれらの硬貨収納庫や紙幣収納庫を開いた
【００５８】
　本実施の形態では、硬貨釣銭機１００や紙幣釣銭機２００における在高不明確状態の内容や発生原因に基づいて最適な精査方法を選択して出力するようになっている。ここで、
在高不明確状態の内容または発生原因としては、（ａ）硬貨釣銭機１００の硬貨収納庫や紙幣釣銭機２００の紙幣収納庫が開いたこと、
、が挙げられる。
（ａ）を「収納庫開」
【００５９】
　また、本実施の形態の硬貨釣銭機１００や紙幣釣銭機２００では、複数の種類の精査処理を行うことができるようになっている。具体的には、
精査処理として、（ｉ）硬貨釣銭機１００や紙幣釣銭機２００から全ての金種の硬貨や紙幣を回収する「全回収」、
、が挙げられる。
・・・
【００６５】
　図３に示すように、本実施の形態では、
硬貨釣銭機１００の硬貨制御部１３０に検出手段１５０、出力手段１５２がそれぞれ接続されている。
紙幣釣銭機２００の紙幣制御部２３０にも検出手段２５０、出力手段２５２がそれぞれ接続されている。
【００６６】
　以下、在高不明確状態の内容や発生原因に基づいて、記憶部１３４、２３４に記憶された複数の精査方法のうち特定の精査方法を選択する方法について図４および図５に示すテーブル（表）を用いて説明する。
【００６７】
　まず、図４のテーブルに、在高不明確状態の内容または発生原因と、在高不明確状態の解除方法との
関係
在高不明確状態の内容や発生原因が「（ａ）収納庫開」
である場合には、「（ｉ）全回収」の精査方法が選択される。
・・・
【００７０】
　なお、図４や図５に示すテーブルは、
「記憶部１３４、２３４に記憶された各精査方法と在高不明確状態の内容または発生原因との関係」
記憶部１３４、２３４に記憶されるようになっている。
出力手段１５２、２５２
このような記憶部１３４、２３４に記憶された関係を用いて、
在高不明確状態の内容または発生原因に対応する精査方法が選択されるようになる。
・・・
【００７５】
　前述したように、検出手段１５０、２５０によって在高不明確状態の発生が検出されたときに、この在高不明確状態の内容や発生原因に基づいて、出力手段１５２、２５２は、記憶部１３４、２３４に記憶された複数の精査方法のうち特定の精査方法を選択して出力するようになっているが、出力手段１５２、２５２により出力された情報は、硬貨釣銭機１００の操作表示部１１２に表示されるようになっている。また、出力手段１５２、２５２により出力された情報は、硬貨釣銭機１００のインターフェース１３２、１４２や紙幣釣銭機２００のインターフェース２３２により、これらの硬貨釣銭機１００や紙幣釣銭機２００とは別に設けられた外部装置（例えば、ＰＯＳレジスタ３００や店舗サーバ４００）に送信されるようになっている。このことにより、出力手段１５２、２５２により出力された情報を、ＰＯＳレジスタ３００の表示部３０２や店舗サーバ４００の表示部（図示せず）にも表示させることができるようになる。
【００７６】
　次に、上述のような貨幣処理システム１における貨幣の処理方法、具体的には硬貨釣銭機１００や紙幣釣銭機２００において在高不明確状態が発生したときの精査方法について図７に示すフローチャートおよび図８乃至図１２に示す操作表示部１１２の表示画面を用いて説明する。
【００７７】
　まず、硬貨釣銭機１００や紙幣釣銭機２００が正常状態である場合には、操作表示部１１２には、図８（ａ）に示すような待機画面が表示される。このときに、操作者が「精査」キーを押下すると、操作表示部１１２における表示画面が図８（ｂ）に示す画面に切り替わる。そして、図８（ｂ）に示す画面において、操作者が「精査処理」メニューを選択して「決定」キーを押下した場合には、操作表示部１１２には図１２に示すように「異常なし　正常動作中です」というメッセージが表示される。
【００７８】
　また、硬貨釣銭機１００や紙幣釣銭機２００の検出手段１５０、２５０は、これらの硬貨釣銭機１００や紙幣釣銭機２００において在高不明確状態が発生したか否かを常に監視している（図７のフローチャートのＳＴＥＰ１）。そして、硬貨釣銭機１００や紙幣釣銭機２００において在高不明確状態が発生したことが検出手段１５０、２５０により検出されると（ＳＴＥＰ１の「ＹＥＳ」）、出力手段１５２、２５２は、在高不明確状態の内容または発生原因に基づいて、記憶部１３４、２３４に記憶された複数の精査方法のうち特定の精査方法を選択する（ＳＴＥＰ２）。この際に、記憶部１３４、２３４に記憶された、図４や図５のテーブルに示すような各精査方法と在高不明確状態の内容や発生原因との関係を用いて、適切な精査方法が選択されるようになる。より具体的に説明すると、例えば操作者が硬貨釣銭機１００の硬貨収納庫を筐体１１０から手前に引き出して開いた場合には、図８（ｃ）に示すように、硬貨釣銭機１００の硬貨収納庫が開いた旨のメッセージおよび画像が操作表示部１１２に表示される。また、この際に、操作表示部１１２には、「取り出した硬貨は機内扱い」というメッセージが表示される。そして、操作者が硬貨収納庫を筐体１１０内に戻すと、操作表示部１１２には、図８（ｄ）に示すような、「在高を確認してください」というメッセージが表示される。また、この場合には硬貨釣銭機１００は在高不明確状態となるので、「精査」キーが色表示等により強調表示され、操作者に対して「精査」キーを押下することを促すようになる。その後、操作者が「精査」キーを押下すると（ＳＴＥＰ３の「ＹＥＳ」）、操作表示部１１２における表示画面が図８（ｂ）に示す画面に切り替わるが、この場合には、「精査処理」メニューが色表示等により強調表示される。
【００７９】
　その後、操作者が「精査処理」メニューを選択して「決定」キーを押下すると、選択された精査方法が実行されるようになる。この際に、出力手段１５２、２５２は、選択された精査方法を出力する。出力手段１５２、２５２により出力された精査方法は操作表示部１１２に表示されるようになる。また、出力手段１５２、２５２により出力された精査方法はインターフェース１４２等を介してＰＯＳレジスタ３００や店舗サーバ４００に送信される。
【００８０】
　精査方法として
「（ｉ）全回収」
全ての金種の硬貨や紙幣
硬貨や紙幣が払い出される際に、これらの硬貨や紙幣の計数が行われる。
【００８１】
　その後、操作者が図８（ａ）に示すような操作表示部１１２において「補充」キーを押下することにより、操作表示部１１２における表示画面は図９Ｂ（ｅ）に示すような画面に切り替わる。そして、払い出された硬貨や紙幣を操作者が硬貨受入部１１４や紙幣受入部２１４に投入することにより、これらの硬貨や紙幣が硬貨釣銭機１００や紙幣釣銭機２００に収納されるようになる（ＳＴＥＰ１４）。このようにして、「（ｉ）全回収」や「（ｉｉ）金種個別回収」に係る精査処理が終了する。
・・・
【００８５】
　以上のように本実施の形態の貨幣釣銭機や貨幣処理システム１によれば、
検出手段１５０、２５０によって在高不明確状態の発生が検出されたときに、出力手段１５２、２５２は
記憶部１３４、２３４に記憶された
特定の精査方法を選択して出力するようになっている。
【００８６】
　また、本実施の形態の貨幣釣銭機や貨幣処理システム１においては、前述のように、記憶部１３４、２３４は、当該記憶部１３４、２３４に記憶された各精査方法と在高不明確状態の内容あるいは発生原因との関係も記憶するようになっている。具体的には、記憶部１３４、２３４は、「記憶部１３４、２３４に記憶された各精査方法と在高不明確状態の内容または発生原因との関係」として、図４や図５に示すテーブルの内容を記憶するようになっている。そして、出力手段１５２、２５２において、このような記憶部１３４、２３４に記憶された関係を用いて、検出手段１５０、２５０によって検出された在高不明確状態の内容または発生原因に対応する精査方法が選択されるようになっている。
・・・
【００９０】
　なお、本実施の形態による貨幣釣銭機やこの貨幣釣銭機が設けられた貨幣処理システムは、上記の態様に限定されるものではなく、様々の変更を加えることができる。
【００９１】
　変形例に係る
硬貨釣銭機１００や紙幣釣銭機２００では、出力手段１５２、２５２により、記憶部１３４、２３４に記憶された複数の精査方法のうち特定の精査方法が選択されて出力されたときに、出力された精査方法を自動的に行うようになっていてもよい。
出力手段１５２、２５２により精査方法として「（ｉ）全回収」
が選択されたときに、硬貨釣銭機１００の硬貨収納部１０６や紙幣釣銭機２００の紙幣収納部２０６から全ての金種の硬貨や紙幣
が自動的に硬貨払出部１１６や紙幣払出部２１６に払い出されるようになっていてもよい。
・・・
【００９３】
　また、本実施の形態では、
硬貨釣銭機１００および紙幣釣銭機２００を組み合わせた貨幣釣銭機
【００９４】
　また、本実施の形態では、硬貨釣銭機として、図１に示すような構成の代わりに、図１３に示すような一時保留部が設けられた構成のものが用いられてもよい。以下、図１３に示すような硬貨釣銭機１００ａの構成について説明する。
【００９５】
　図１３に示すような
硬貨釣銭機１００ａでは、
一時保留部１８０が設けられている。
【００９６】
　このような硬貨釣銭機１００ａでは、
精査方法として、
各硬貨収納部１０６から硬貨を繰り出して
一時保留部１８０で一時的に保留し、その後一時保留部１８０に保留された硬貨を各硬貨収納部１０６に戻すような機内循環処理も用いられるようになっている。
機内循環処理が行われる際に、各硬貨収納部１０６から硬貨が繰り出されるときにこの硬貨の計数が行われる。このような機内循環処理に係る精査方法も記憶部１３４に記憶されるようになっている。
【００９７】
　図１３に示すような硬貨釣銭機１００ａでも、図１等に示すような硬貨釣銭機１００と同様に、
検出手段１５０によって在高不明確状態の発生が検出されたときに、出力手段１５２は、この在高不明確状態の内容または発生原因に基づいて、記憶部１３４に記憶された複数の精査方法のうち特定の精査方法を選択して出力するようになっているが、特定の精査方法として、
「（ｉ）全回収」や「（ｉｉ）金種個別回収」が選択される代わりに機内循環処理が選択されるようになる。
【００９８】
　図１３に示すような硬貨釣銭機１００ａの更なる変形例として、一時保留部１８０が硬貨釣銭機１００ａの筐体１１０内に設けられる代わりに、一時保留部１８０が硬貨釣銭機１００ａの筐体１１０の外部に着脱自在に取り付けられるようになっていてもよい。このような更なる変形例では、精査方法として機内循環処理を行う場合に、各硬貨収納部１０６から硬貨が繰り出されて出金搬送部１０８により搬送され、硬貨払出部１１６に送られた硬貨が自動的に一時保留部１８０に保留され、その後、一時保留部１８０に保留された硬貨が自動的に硬貨受入部１１４によって筐体１１０内に受け入れられて各硬貨収納部１０６に戻されるようになる。このような更なる変形例でも、機内循環処理に係る精査方法を適切に行うことができる。」
（１ｂ）引用文献１には以下の図が示されている。
２　引用文献１に記載された発明及び技術的事項
（１）摘示（１ａ）及び摘示（１ｂ）の図から、「変形例」（段落【００９１】）の構成について以下の事項が認定できる。
（なお、該「変形例」は、「本実施の形態」（段落【００２８】〜段落【００８９】、図１〜１２）から精査方法を自動的に行う点に関して変形したものであるから、精査方法を自動的に行う点以外の構成については「本実施の形態」（段落【００２８】〜段落【００８９】、図１〜１２）と同様と認められる。）
ア　硬貨釣銭機１００および紙幣釣銭機２００を組み合わせた貨幣釣銭機であること（段落【００２８】，【００９３】、図１〜３）。
イ　硬貨釣銭機１００および紙幣釣銭機２００は、それぞれ硬貨や紙幣の入出金処理を行うようになっていること（段落【００２８】）。
ウ　硬貨釣銭機１００は硬貨制御部１３０および表示制御部１４０を有し、紙幣釣銭機２００は紙幣制御部２３０を有すること（段落【００３０】、図１，３）。
エ　硬貨制御部１３０から硬貨受入部１１４、入金搬送部１０３、分岐部１０４、硬貨収納部１０６、出金搬送部１０８、硬貨払出部１１６等の各々に対して様々な指令が送られるようになっており（段落【００４９】、図３）、紙幣制御部２３０から紙幣受入部２１４、周回搬送部２０３ａ、接続搬送部２０３ｂ、紙幣収納部２０６、出金リジェクト部２０４、紙幣払出部２１６等の各々に対して様々な指令が送られるようになっていること（段落【００５０】、図３）。
オ　記憶部１４４には、硬貨釣銭機１００や紙幣釣銭機２００における硬貨や紙幣の処理状況や、硬貨釣銭機１００や紙幣釣銭機２００の内部に収納された硬貨や紙幣の在高が記憶されるようになっており（段落【００４８】、図３）、記憶部１３４には、硬貨釣銭機１００における硬貨の処理状況や、硬貨釣銭機１００の内部に収納された硬貨の在高等の様々な情報が記憶されるようになっており（段落【００４９】、図３）、記憶部２３４には、紙幣釣銭機２００における紙幣の処理状況や、紙幣釣銭機２００の内部に収納された紙幣の在高等の様々な情報が記憶されるようになっていること（段落【００５０】、図３）。
カ　硬貨釣銭機１００に硬貨を入金する場合、硬貨を機体内に取り込み、硬貨収納部１０６に金種別に収納し、硬貨釣銭機１００から硬貨を出金する場合、ＰＯＳレジスタ３００からの出金指令により硬貨収納部１０６に収納されている硬貨が繰り出され、硬貨払出部１１６へ搬送されること（段落【００５３】〜【００５４】、図１〜３）。
キ　紙幣釣銭機２００に紙幣を入金する場合、入金紙幣を一括で取り込んで各紙幣収納部２０６に金種別に収納され、紙幣釣銭機２００から紙幣を出金する場合、ＰＯＳレジスタ３００からの出金指令により紙幣収納部２０６に収納されている紙幣が繰り出されて紙幣払出部２１６に送られ、筐体２１０外へ放出されること（段落【００５５】〜【００５６】、図１〜３）。
ク　硬貨釣銭機１００において、各硬貨収納部１０６、入金搬送部１０３、出金搬送部１０８、硬貨受入部１１４、硬貨払出部１１６等は一体型の硬貨収納庫となっており、この硬貨収納庫を筐体１１０から手前側に引き出すことにより硬貨収納庫を開け（段落【００３７】，【００５７】）、紙幣釣銭機２００において、各紙幣収納部２０６、紙幣受入部２１４、紙幣払出部２１６、出金リジェクト部２０４、紙幣回収カセット２０７、周回搬送部２０３ａおよび接続搬送部２０３ｂ等は一体型の紙幣収納庫となっており、この紙幣収納庫を筐体２１０から手前側に引き出したりすることにより紙幣収納庫を開けること（段落【００４４】，【００５７】）。
ケ　在高不明確状態の内容または発生原因としては、（ａ）硬貨釣銭機１００の硬貨収納庫や紙幣釣銭機２００の紙幣収納庫が開いたこととしての「収納庫開」等が挙げられること（段落【００５８】、図４〜５）。
コ　精査処理として、（ｉ）硬貨釣銭機１００や紙幣釣銭機２００から全ての金種の硬貨や紙幣を回収する「全回収」等が挙げられ（段落【００５９】，【００８０】、図４〜５）、「全回収」で全ての金種の硬貨や紙幣が払い出される際に、これらの硬貨や紙幣の計数が行われること（段落【００８０】）。
サ　記憶部１３４、２３４に記憶された各精査方法と在高不明確状態の内容または発生原因との関係が記憶部１３４、２３４に記憶されるようになっており（段落【００７０】）、その関係において、在高不明確状態の内容や発生原因が「（ａ）収納庫開」である場合には、「（ｉ）全回収」の精査方法が選択されること（段落【００６７】、図４〜５）。
シ　硬貨釣銭機１００の硬貨制御部１３０に検出手段１５０、出力手段１５２がそれぞれ接続されており、紙幣釣銭機２００の紙幣制御部２３０にも検出手段２５０、出力手段２５２がそれぞれ接続されていること（段落【００６５】、図３）。
ス　検出手段１５０、２５０によって在高不明確状態の発生が検出されたときに、出力手段１５２、２５２は、記憶部１３４、２３４に記憶された関係を用いて、この在高不明確状態の内容または発生原因に対応する特定の精査方法を選択して出力するようになっていること（段落【００７０】，【００８５】）。
セ　硬貨釣銭機１００や紙幣釣銭機２００では、出力手段１５２、２５２により、記憶部１３４、２３４に記憶された複数の精査方法のうち特定の精査方法が選択されて出力されたときに、出力された精査方法を自動的に行うようになっており、出力手段１５２、２５２により精査方法として「（ｉ）全回収」が選択されたときに、硬貨釣銭機１００の硬貨収納部１０６や紙幣釣銭機２００の紙幣収納部２０６から全ての金種の硬貨や紙幣が自動的に硬貨払出部１１６や紙幣払出部２１６に払い出されるようになっていること（段落【００９１】）。
（２）したがって、これらを整理すると、引用文献１には次の発明が記載されていると認められる。
＜引用発明＞
「硬貨釣銭機１００および紙幣釣銭機２００を組み合わせた貨幣釣銭機であって、
　硬貨釣銭機１００および紙幣釣銭機２００は、それぞれ硬貨や紙幣の入出金処理を行うようになっており、
　硬貨釣銭機１００は硬貨制御部１３０および表示制御部１４０を有し、紙幣釣銭機２００は紙幣制御部２３０を有し、
　硬貨制御部１３０から硬貨受入部１１４、入金搬送部１０３、分岐部１０４、硬貨収納部１０６、出金搬送部１０８、硬貨払出部１１６等の各々に対して様々な指令が送られるようになっており、紙幣制御部２３０から紙幣受入部２１４、周回搬送部２０３ａ、接続搬送部２０３ｂ、紙幣収納部２０６、出金リジェクト部２０４、紙幣払出部２１６等の各々に対して様々な指令が送られるようになっており、
　記憶部１４４には、硬貨釣銭機１００や紙幣釣銭機２００における硬貨や紙幣の処理状況や、硬貨釣銭機１００や紙幣釣銭機２００の内部に収納された硬貨や紙幣の在高が記憶されるようになっており、記憶部１３４には、硬貨釣銭機１００における硬貨の処理状況や、硬貨釣銭機１００の内部に収納された硬貨の在高等の様々な情報が記憶されるようになっており、記憶部２３４には、紙幣釣銭機２００における紙幣の処理状況や、紙幣釣銭機２００の内部に収納された紙幣の在高等の様々な情報が記憶されるようになっており、
　硬貨釣銭機１００に硬貨を入金する場合、硬貨を機体内に取り込み、硬貨収納部１０６に金種別に収納し、硬貨釣銭機１００から硬貨を出金する場合、ＰＯＳレジスタ３００からの出金指令により硬貨収納部１０６に収納されている硬貨が繰り出され、硬貨払出部１１６へ搬送され、
　紙幣釣銭機２００に紙幣を入金する場合、入金紙幣を一括で取り込んで各紙幣収納部２０６に金種別に収納され、紙幣釣銭機２００から紙幣を出金する場合、ＰＯＳレジスタ３００からの出金指令により紙幣収納部２０６に収納されている紙幣が繰り出されて紙幣払出部２１６に送られ、筐体２１０外へ放出され、
　硬貨釣銭機１００において、各硬貨収納部１０６、入金搬送部１０３、出金搬送部１０８、硬貨受入部１１４、硬貨払出部１１６等は一体型の硬貨収納庫となっており、この硬貨収納庫を筐体１１０から手前側に引き出すことにより硬貨収納庫を開け、紙幣釣銭機２００において、各紙幣収納部２０６、紙幣受入部２１４、紙幣払出部２１６、出金リジェクト部２０４、紙幣回収カセット２０７、周回搬送部２０３ａおよび接続搬送部２０３ｂ等は一体型の紙幣収納庫となっており、この紙幣収納庫を筐体２１０から手前側に引き出したりすることにより紙幣収納庫を開け、
　在高不明確状態の内容または発生原因としては、（ａ）硬貨釣銭機１００の硬貨収納庫や紙幣釣銭機２００の紙幣収納庫が開いたこととしての「収納庫開」等が挙げられ、
　精査処理として、（ｉ）硬貨釣銭機１００や紙幣釣銭機２００から全ての金種の硬貨や紙幣を回収する「全回収」等が挙げられ、「全回収」で全ての金種の硬貨や紙幣が払い出される際にこれらの硬貨や紙幣の計数が行われ、
　記憶部１３４、２３４に記憶された各精査方法と在高不明確状態の内容または発生原因との関係が記憶部１３４、２３４に記憶されるようになっており、その関係において、在高不明確状態の内容や発生原因が「（ａ）収納庫開」である場合には、「（ｉ）全回収」の精査方法が選択され、
　硬貨釣銭機１００の硬貨制御部１３０に検出手段１５０、出力手段１５２がそれぞれ接続されており、紙幣釣銭機２００の紙幣制御部２３０にも検出手段２５０、出力手段２５２がそれぞれ接続され、
　検出手段１５０、２５０によって在高不明確状態の発生が検出されたときに、出力手段１５２、２５２は、記憶部１３４、２３４に記憶された関係を用いて、この在高不明確状態の内容または発生原因に対応する特定の精査方法を選択して出力するようになっており、
　硬貨釣銭機１００や紙幣釣銭機２００では、出力手段１５２、２５２により、記憶部１３４、２３４に記憶された複数の精査方法のうち特定の精査方法が選択されて出力されたときに、出力された精査方法を自動的に行うようになっており、出力手段１５２、２５２により精査方法として「（ｉ）全回収」が選択されたときに、硬貨釣銭機１００の硬貨収納部１０６や紙幣釣銭機２００の紙幣収納部２０６から全ての金種の硬貨や紙幣が自動的に硬貨払出部１１６や紙幣払出部２１６に払い出されるようになっている、
貨幣釣銭機。」
（３）さらに摘記事項（１ａ）及び摘示（１ｂ）の図から以下の技術的事項が認定できる。
＜技術的事項Ａ＞
　硬貨釣銭機１００ａでは、一時保留部１８０が設けられ、精査方法として、各硬貨収納部１０６から硬貨を繰り出して一時保留部１８０で一時的に保留し、その後一時保留部１８０に保留された硬貨を各硬貨収納部１０６に戻すような機内循環処理も用いられるようになっており、機内循環処理が行われる際に、各硬貨収納部１０６から硬貨が繰り出されるときにこの硬貨の計数が行われるのであって、機内循環処理に係る精査方法も記憶部１３４に記憶されるようになっており、検出手段１５０によって在高不明確状態の発生が検出されたときに、出力手段１５２は、この在高不明確状態の内容または発生原因に基づいて、記憶部１３４に記憶された複数の精査方法のうち特定の精査方法を選択して出力するようになっているが、特定の精査方法として、「（ｉ）全回収」等が選択される代わりに機内循環処理が選択されるようになること（段落【００９５】〜【００９７】、図４〜５，１３）。
第６　対比
１　本願発明１と引用発明とを対比する。
（１）引用発明における「硬貨」及び「紙幣」と、「硬貨収納部１０６」及び「紙幣収納部２０６」と、「ＰＯＳレジスタ３００」と、「硬貨釣銭機１００および紙幣釣銭機２００を組み合わせた貨幣釣銭機」とは、それぞれ本願発明１における「貨幣」と、「収納庫」と、「上位装置」と、「金銭処理装置」とに相当する。
（２）引用発明の「貨幣釣銭機」における「硬貨釣銭機１００に硬貨を入金する場合、硬貨を機体内に取り込み、硬貨収納部１０６に金種別に収納し」という構成及び「紙幣釣銭機２００に紙幣を入金する場合、入金紙幣を一括で取り込んで各紙幣収納部２０６に金種別に収納され」という構成は、上記「（１）」をも踏まえると、本願発明１の「金銭処理装置」における「入金された貨幣を取り込んで収納庫に振分収納し」という構成に相当する。
（３）引用発明の「貨幣釣銭機」における「硬貨釣銭機１００から硬貨を出金する場合、ＰＯＳレジスタ３００からの出金指令により硬貨収納部１０６に収納されている硬貨が繰り出され、硬貨払出部１１６へ搬送され」という構成及び「紙幣釣銭機２００から紙幣を出金する場合、ＰＯＳレジスタ３００からの出金指令により紙幣収納部２０６に収納されている紙幣が繰り出されて紙幣払出部２１６に送られ、筐体２１０外へ放出され」という構成は、上記「（１）」をも踏まえると、本願発明１の「金銭処理装置」における「上位装置からの指示によって前記収納庫から収納貨幣を放出し」という構成に相当する。
（４）引用発明の「貨幣釣銭機」は、「記憶部１４４」において「硬貨釣銭機１００や紙幣釣銭機２００における硬貨や紙幣の処理状況や、硬貨釣銭機１００や紙幣釣銭機２００の内部に収納された硬貨や紙幣の在高が記憶されるようになっており」、「記憶部１３４」において「硬貨釣銭機１００における硬貨の処理状況や、硬貨釣銭機１００の内部に収納された硬貨の在高等の様々な情報が記憶されるようになっており」、「記憶部２３４」において、「紙幣釣銭機２００における紙幣の処理状況や、紙幣釣銭機２００の内部に収納された紙幣の在高等の様々な情報が記憶されるようになって」いることから、入出金処理の際の入出金についての入出金情報を記憶して保持するものといえる。
　また引用発明の「貨幣釣銭機」は、「精査方法を自動的に行う」ので、収納されている硬貨や紙幣を再計数する精査を行うものであることは明らかである。
　してみると、かかる「貨幣釣銭機」の構成と、本願発明１における「金銭処理装置」の「入金された貨幣を取り込んで収納庫に振分収納し、上位装置からの指示によって前記収納庫から収納貨幣を放出して入出金情報として保持するとともに、前記収納庫間で貨幣の入出が可能な精査庫を用いて収納貨幣を再計数する精査を行うことができる金銭処理装置であって」という構成とは、上記「（１）〜（３）」をも踏まえると、「入金された貨幣を取り込んで収納庫に振分収納し、上位装置からの指示によって前記収納庫から収納貨幣を放出して入出金情報として保持するとともに、収納貨幣を再計数する精査を行うことができる金銭処理装置であって」という限度で共通する。
（５）引用発明における「在高不明確状態の内容または発生原因として」の「（ａ）硬貨釣銭機１００の硬貨収納庫や紙幣釣銭機２００の紙幣収納庫が開いたこととしての「収納庫開」」は人の操作によってなされるのであるから、本願発明１における「前記収納貨幣の過不足発生に関する所定の人為的接触操作」に相当する。そして、引用発明において「検出手段１５０、２５０によって在高不明確状態の発生が検出され」ることから、かかる「検出手段１５０、２５０」は「在高不明確状態の発生」すなわち「（ａ）硬貨釣銭機１００の硬貨収納庫や紙幣釣銭機２００の紙幣収納庫が開いたこととしての「収納庫開」」が発生したことを検出するものであるから、機能上、本願発明１の「前記収納貨幣の過不足発生に関する所定の人為的接触操作が発生したか否かを判断する人為的接触操作判断部」に相当するものといえる。
（６）引用発明における「記憶部１３４、２３４に記憶された各精査方法と在高不明確状態の内容または発生原因との関係が記憶部１３４、２３４に記憶されるようになっており、その関係において、在高不明確状態の内容や発生原因が「（ａ）収納庫開」である場合には、「（ｉ）全回収」の精査方法が選択され、」という構成、及び「検出手段１５０、２５０によって在高不明確状態の発生が検出されたときに、出力手段１５２、２５２は、記憶部１３４、２３４に記憶された関係を用いて、この在高不明確状態の内容または発生原因に対応する特定の精査方法を選択して出力するようになっており、硬貨釣銭機１００や紙幣釣銭機２００では、出力手段１５２、２５２により、記憶部１３４、２３４に記憶された複数の精査方法のうち特定の精査方法が選択されて出力されたときに、出力された精査方法を自動的に行うようになっており、出力手段１５２、２５２により精査方法として「（ｉ）全回収」が選択されたときに、硬貨釣銭機１００の硬貨収納部１０６や紙幣釣銭機２００の紙幣収納部２０６から全ての金種の硬貨や紙幣が自動的に硬貨払出部１１６や紙幣払出部２１６に払い出されるようになっている」という構成によれば、「検出手段１５０、２５０によって在高不明確状態」として「（ａ）硬貨釣銭機１００の硬貨収納庫や紙幣釣銭機２００の紙幣収納庫が開いたこととしての「収納庫開」」が「検出されたとき」には「出力手段１５２、２５２は、記憶部１３４、２３４に記憶された関係を用いて、この在高不明確状態の内容または発生原因に対応する特定の精査方法」として「（ｉ）全回収」の精査方法」を「選択して出力するようになって」いて、「出力された精査方法を自動的に行う」にあたって「出力手段１５２、２５２により精査方法として「（ｉ）全回収」が選択されたときに、硬貨釣銭機１００の硬貨収納部１０６や紙幣釣銭機２００の紙幣収納部２０６から全ての金種の硬貨や紙幣が自動的に硬貨払出部１１６や紙幣払出部２１６に払い出されるようになっている」のであって、「自動的」に行われるこの「（ｉ）全回収」の精査方法」は「収納庫開」の発生箇所である「硬貨釣銭機１００の硬貨収納庫や紙幣釣銭機２００の紙幣収納庫」で当然行われるものといえる。
　そして、引用発明における「硬貨釣銭機１００は硬貨制御部１３０および表示制御部１４０を有し、紙幣釣銭機２００は紙幣制御部２３０を有し、硬貨制御部１３０から硬貨受入部１１４、入金搬送部１０３、分岐部１０４、硬貨収納部１０６、出金搬送部１０８、硬貨払出部１１６等の各々に対して様々な指令が送られるようになっており、紙幣制御部２３０から紙幣受入部２１４、周回搬送部２０３ａ、接続搬送部２０３ｂ、紙幣収納部２０６、出金リジェクト部２０４、紙幣払出部２１６等の各々に対して様々な指令が送られるようになっており」という構成から、「硬貨制御部１３０」が「硬貨釣銭機１００」における「硬貨受入部１１４、入金搬送部１０３、分岐部１０４、硬貨収納部１０６、出金搬送部１０８、硬貨払出部１１６等の各々に対して様々な指令」を送って制御するものであり、「紙幣制御部２３０」が「紙幣釣銭機２００」における「紙幣受入部２１４、周回搬送部２０３ａ、接続搬送部２０３ｂ、紙幣収納部２０６、出金リジェクト部２０４、紙幣払出部２１６等の各々に対して様々な指令」を送って制御するものであるので、「出力された精査方法を自動的に行う」ための、「硬貨釣銭機１００の硬貨収納部１０６や紙幣釣銭機２００の紙幣収納部２０６から全ての金種の硬貨や紙幣が自動的に硬貨払出部１１６や紙幣払出部２１６に払い出されるように」する制御は「硬貨制御部１３０」や「紙幣制御部２３０」によってなされるものと解される。
　してみると、かかる「硬貨制御部１３０」及び「紙幣制御部２３０」と、本願発明１における「前記所定の人為的接触操作が発生した場合、該所定の人為的接触操作が発生した時点で前記所定の人為的接触操作が発生した箇所の収納貨幣を自動精査し、精査時刻および精査結果を精査情報として記憶部に保持させる精査制御部」とは、上記「（１），（５）」をも踏まえると、「前記所定の人為的接触操作が発生した場合、該所定の人為的接触操作が発生した時点で前記所定の人為的接触操作が発生した箇所の収納貨幣を自動精査する精査制御部」という限度で共通するものといえる。
２　以上のことから、本願発明１と引用発明との一致点及び相違点は、次のとおりである。
【一致点】
「入金された貨幣を取り込んで収納庫に振分収納し、上位装置からの指示によって前記収納庫から収納貨幣を放出して入出金情報として保持するとともに、収納貨幣を再計数する精査を行うことができる金銭処理装置であって、
　前記収納貨幣の過不足発生に関する所定の人為的接触操作が発生したか否かを判断する人為的接触操作判断部と、
　前記所定の人為的接触操作が発生した場合、該所定の人為的接触操作が発生した時点で前記所定の人為的接触操作が発生した箇所の収納貨幣を自動精査する精査制御部と、
　を備えたことを特徴とする金銭処理装置。」
【相違点１】
「精査」について、本願発明１は「前記収納庫間で貨幣の入出が可能な精査庫を用い」るのに対し、引用発明はそのように精査庫を用いるものでない点。
【相違点２】
「精査制御部」について、本願発明１では「精査時刻および精査結果を精査情報として記憶部に保持させる」のに対し、引用発明ではそのように保持させるのか不明である点。
第７　判断
１　相違点についての検討
　各相違点について検討する。
（１）相違点１について
　上記「第５　２（３）」で述べたように、引用文献１には技術的事項Ａ、すなわち硬貨釣銭機１００ａでは、一時保留部１８０が設けられ、精査方法として、各硬貨収納部１０６から硬貨を繰り出して一時保留部１８０で一時的に保留し、その後一時保留部１８０に保留された硬貨を各硬貨収納部１０６に戻すような機内循環処理も用いられるようになっており、機内循環処理が行われる際に、各硬貨収納部１０６から硬貨が繰り出されるときにこの硬貨の計数が行われるのであって、機内循環処理に係る精査方法も記憶部１３４に記憶されるようになっており、検出手段１５０によって在高不明確状態の発生が検出されたときに、出力手段１５２は、この在高不明確状態の内容または発生原因に基づいて、記憶部１３４に記憶された複数の精査方法のうち特定の精査方法を選択して出力するようになっているが、特定の精査方法として、「（ｉ）全回収」等が選択される代わりに機内循環処理が選択されるようになること、も記載されている。
　そして技術的事項Ａにおける「一時保留部１８０」は、「精査方法」としての「機内循環処理が行われる際に」、「各硬貨収納部１０６」（本願発明１の「収納庫」に相当する。以下括弧内に本願発明１の相当する構成を記す。）との間で硬貨（「貨幣」）の入出を行うものであるから、本願発明１における「精査庫」に相当するものといえる。
　してみると、引用発明において、精査機能の共通性から技術的事項Ａを適用し、「硬貨釣銭機１００」に「一時保留部１８０」（「精査庫」）を設け、「各硬貨収納部１０６」（「収納庫」）との間で「硬貨」の入出を行う「一時保留部１８０」を用いた「機内循環処理に係る精査方法」も「記憶部１３４」に記憶させ、「記憶部１３４」に記憶された複数の精査方法のうち特定の精査方法として「（ｉ）全回収」が選択される代わりに「機内循環処理」が選択されるようにすることで、相違点１に係る本願発明１の構成に想到することに格別な困難性は認められない。
（２）相違点２について
　貨幣を扱う装置において、精査等の処理についての処理時刻や処理結果等の処理情報を記憶させることは、本願の出願前に周知技術である（必要であれば、原査定の拒絶の理由に引用文献２として引用された特開２００９−１３９９８０号公報（段落【００５５】〜【００５９】、図４，６）、特開２０１０−７２９９９号公報（段落【００２０】、図６）、特開２０１２−３８１８６号公報（【００５２】、図４）、特開２０１３−２００６２３号公報（段落【００４２】〜【００４３】、図２）を参照されたい。）。
　そして、引用発明の「貨幣釣銭機」は「硬貨釣銭機１００や紙幣釣銭機２００における硬貨や紙幣の処理状況や、硬貨釣銭機１００や紙幣釣銭機２００の内部に収納された硬貨や紙幣の在高が記憶されるようになって」いる「記憶部１４４」と、「硬貨釣銭機１００における硬貨の処理状況や、硬貨釣銭機１００の内部に収納された硬貨の在高等の様々な情報が記憶されるようになって」いる「記憶部１３４」と、「紙幣釣銭機２００における紙幣の処理状況や、紙幣釣銭機２００の内部に収納された紙幣の在高等の様々な情報が記憶されるようになって」いる「記憶部２３４」とを備えるものである。
　してみると、引用発明において、現金を扱う装置における精査等の処理機能の共通性から上記周知技術を適用し、自動精査を行った際にその精査時刻及び精査結果を精査についての処理情報として、「記憶部１４４」、「記憶部２３４」及び「記憶部２３４」の少なくともいずれかに記憶させることで、相違点２に係る本願発明１の構成に想到することに格別な困難性は認められない。
２　効果について
　本願発明１の効果は、引用発明、技術的事項Ａ及び上記周知技術のそれぞれの効果の総和から当業者が予想し得た範囲を越えるような格別なものでない。
３　請求人の主張について
　審判請求書において請求人は以下の主張をしている。
「（４−３）本願発明と引用発明との対比
　本願発明は、収納貨幣の過不足発生に関する所定の人為的接触操作が所定時間以上、継続して発生した場合に所定の人為的接触操作が発生したものと判断する構成を有することを特徴とするものであり、かかる構成は、引用文献１〜３のいずれにも記載されていません。 
　本願発明は、所定の人為的接触操作が所定時間以上、継続して発生した場合に所定の人為的接触操作が発生したものと判断することにより、人為的接触操作の誤検知を防止し、無駄な精査処理を削減でき、金銭処理装置の稼働率を高めることができるという引用文献１〜３を適宜組み合わせたものからは期待できない顕著な効果を奏するものです。 
　したがって、本願発明は、引用文献１〜３をもとに容易に想到することができたものとは言い難いものと思料します。」（「（４−３）の項」）
　しかしながら、上記「第２　平成３０年６月１８日になされた手続補正についての補正の却下の決定」のとおり、「収納貨幣の過不足発生に関する所定の人為的接触操作が所定時間以上、継続して発生した場合に所定の人為的接触操作が発生したものと判断する」ことを特定する本件補正は却下されたことから、この主張は採用できない。
３　小括
　以上より、本願発明１は、引用文献１に記載された引用発明、引用文献１に記載された技術的事項Ａ及び上記周知技術に基づいて、当業者が容易に発明をすることができたものであり、特許法第２９条第２項の規定により、特許を受けることができないものである。
第８　むすび
　以上のとおり、本願発明１は、特許法第２９条第２項の規定により特許を受けることができないから、他の請求項に係る発明について検討するまでもなく、本願は拒絶されるべきものである。
　よって、結論のとおり審決する。